(57)【要約】【課題】パン屑や砂等の重いゴミの掃除にも、埃等の細かなゴミや汚れまたは液体の除去にも有効は掃除機を提供することを目的とする。【解決手段】清掃シート８を着脱自在に取り付ける清掃シート取付部材２を備え、前記清掃シート取付部材２に吸引部２４を設けたものであり、これにより、回転ブラシまたは吸引力で取り除くことが困難な毛髪や埃等のゴミと、清掃シートで取り除くことが困難なパン屑や砂等のゴミとを、お互いに補完しあって効率的な掃除を行うことが出来る。また、別途取付部材を設ける必要がないので、低コストで確実な清掃シート８の取付が実現できる。【選択図】　図７
2004000658.tif 000002
【特許請求の範囲】
【請求項１】
吸引風を発生させるファンと、前記ファンを駆動するファンモータと、ファンモータに電源を供給する電源部と、清掃シートを着脱自在に取り付ける清掃シート取付部材とを備え、前記清掃シート取付部材に吸引部を設けた掃除機。
【請求項２】
清掃シート取付部材により清掃シートを装着して、床面を移動することで、前記清掃シートにより、前記床面を拭き掃除する請求項１記載の掃除機。
【発明の詳細な説明】
【０００１】
【発明の属する技術分野】
本発明は、一般家庭の床のゴミや埃等を掃除する掃除機に関するものである。
【０００２】
【従来の技術】
一般家庭の床の掃除において一般の電気掃除機のように手間をかけずに、目についたゴミを手軽に掃除する軽量で操作性の良い掃除機（掃除用具）として、特開平１０−３１４０９６号公報に示すように、使い捨て清掃シートを使用して床を拭きながらゴミを集める掃除用具や、特開昭６３−７７４２３号公報に示すように、回転ブラシを使用してゴミを掻き込んで集める掃除機（掃除用具）が考案されている。
【０００３】
【発明が解決しようとする課題】
しかしながら清掃シートを使用した掃除具は、不織布等のシートにゴミを絡め取るので毛髪や埃に対しては有効であるが、パン屑のように比較的おおきな、また砂等の重いゴミの掃除は困難である。また回転ブラシを使用した掃除機（掃除用具）は、パン屑や砂等の重いゴミの掃除には有効であるが、埃等の細かなゴミや汚れまたは液体の除去は困難である。
【０００４】
従って、どちらの掃除手段を使用しても、良好な清掃状態を作り出すことは出来ない。
【０００５】
【課題を解決するための手段】
本発明の掃除機は、吸引風を発生させるファンと、前記ファンを駆動するファンモータと、ファンモータに電源を供給する電源部と、清掃シートを着脱自在に取り付ける清掃シート取付部材とを備え、前記清掃シート取付部材に吸引部を設けたものであり、これにより、回転ブラシまたは吸引力で取り除くことが困難な毛髪や埃等のゴミと、清掃シートで取り除くことが困難なパン屑や砂等のゴミとを、お互いに補完しあって効率的な掃除を行うことが出来る。また、別途取付部材を設ける必要がないので、低コストで確実な清掃シートの取付が実現できる。
【０００６】
【発明の実施の形態】
以下、本発明の内、回転ブラシを用いた一実施の形態について、図面を用いて詳細に説明する。
【０００７】
図１は、本発明の掃除機で（ａ）はその平面図、（ｂ）は側面図ある。同図において、１は内部に回転ブラシ４、モータ９、電源１０を有する本体ケースであり、２は両端に前記本体ケースに設けた凹凸部１ａ、１ｂに係合する凹凸部２ａ、２ｂを設けた嵌合爪２１を有する清掃シート取付部材であり、嵌合爪２１により本体ケース１に着脱することができる。
【０００８】
また、本体ケース１の上面中央部には、自在継手を有する操作用の把手３を設けている。
【０００９】
図２は、本発明の掃除機の中央断面図である。同図において、回転ブラシ４を回転させることにより、集塵ケース５にゴミを集塵する。この集塵ケース５には回転ブラシ４の風圧を逃がす通気フィルター２２を設けて、集塵効果を向上させている。集塵ケース５は本体ケース１に着脱可能に嵌合して、これを取り外すことにより、集塵ケース５内のゴミ処理を行うことができる。また、清掃シート８を取り付ける清掃シート取付部材２を集塵ケース５の下方に配置することにより、操作中に集塵ケース５が本体ケース１より脱落することがなくなる。６は逆止弁で、本体ケース１を傾けた時に集塵ケース５の入口を閉じて、集塵したゴミが外へ出ることを防止する。
【００１０】
清掃シート取付部材２には弾性体７を付設し、清掃シート８が着脱自在に装着でき、この清掃シート取付部材２を本体ケース１に取り付けて床面を移動することで、埃等のゴミを清掃シート８に絡め取ると同時に床面の拭き掃除が出来る。
【００１１】
図３は、図１のＡ−Ａ断面である。９はモータで、乾電池などの電源部１０から電力供給を受け、ベルト１１を介して回転ブラシ４を回転させる。
【００１２】
図４は、清掃シート取付部材２の本体ケース１との取付状態を示す要部拡大図である。本体ケース１に設けた凹凸１ａ、１ｂと、清掃シート取付部材２に設けた凹凸２ａ、２ｂとにより、清掃シート８を係止して清掃シート８の外れを防止する。従って、清掃シート８を固定するための別部品を必要としないため構造を簡単にすることができ部品コストの低減を図れるものである。
【００１３】
図５は、本発明の他の形態の例で（ａ）は平面図、（ｂ）は要部断側面図である。
【００１４】
１は内部にファンモータ１２、吸引ファン１３、電源１０を有する本体ケースであり、吸引ファン１３の吸引により通気フィルター２２を設けた集塵ケース５にゴミを集塵する。
【００１５】
２は両端に前記本体ケースに設けた凹凸部１ａ、１ｂに係合する凹凸部２ａ、２ｂを設けた嵌合爪２１を有する清掃シート取付部材であり、嵌合爪２１により本体ケース１に着脱することができる。この清掃シート取付部材２には弾性体７を付設し、清掃シート８が着脱自在に装着でき、この清掃シート取付部材２を本体ケース１に取り付けて床面を移動することで、埃等のゴミを清掃シート８に絡め取ると同時に床面の拭き掃除が出来る。
【００１６】
次に本発明の掃除機のスイッチ手段について図とともに説明する。図６は請求項１記載の発明を示す、図１のスイッチ部位を示すＢ−Ｂ断面である。１４は電源スイッチで、スイッチの操作釦１５を押すことによりモータ９あるいは請求項２記載の発明のファンモータ１２（図示せず）への電力供給を入・切りする。
【００１７】
２３は清掃シート取付部材２に設けた突起で、清掃シート取付部材２を本体ケース１に取り付けた状態でのみ、この突起２３で電源スイッチ１４を入・切りできるように固定する構造となっている。従って、図６（ａ）で示すように清掃シート取付部材２を取り付けた状態では電源スイッチ１４での入・切り操作は出来るが、図６（ｂ）で示すように清掃シート取付部材２を外した状態では電源スイッチ１４が操作釦１５に当接しないため、電源スイッチ１４での入り・切り操作は出来なくなる。これは、清掃シート取付部材２を外した状態で使用した時に、本体ケース１の底面がフローリング材や白木材等に直接あたるため床を傷つけることを未然に防止することが可能となるものである。
【００１８】
また図７は、図５に示す本発明の他の形態における清掃シート取付部材２の他の例を示すもので、清掃シート取付部材２に設けた吸引部を示す要部拡大図である。２４は清掃シート取付部材２に設けた吸引部で吸引ファン１３と連接している。また弾性体７はその表面に多数の小孔２５を配置し、この小孔２５を通じて、清掃シート８の清掃面を吸引ファン１３からの吸引力により吸引することで清掃シート８へゴミを吸着して、集塵効果を向上させると共に、清掃シート８を弾性体７へ吸引密着させることで、操作時に清掃シート８のずれやしわを生ずることがなくなり、さらに掃除効果は改善される。
【００１９】
なお、本発明の掃除機はその構造に示されるように、図１、図５で示した操作方向において、前方向に操作することが好ましい、つまり前方向に操作することでゴミを集塵して残った毛髪や埃を清掃シート８で拭取ることで、最も効率良く掃除ができる。後方向は、清掃シート８で取れないパン屑や砂等ゴミが一緒に移動して集塵部に到達できないため掃除効果は悪くなる。
【００２０】
また、前述したように掃除効果が上がらない方向に誤使用すると、電源である電池のエネルギーを無駄に使用することになり経済的にも非効率である。
【００２１】
従って、すくなくとも後方向に操作する時は、方向センサー（図示せず）によりモータ９あるいはファンモータ１２の回転を停止するような構成とすることで、電源のエネルギーを有効に利用することが出来る。
【００２２】
【発明の効果】
以上説明したように本発明によれば、回転ブラシまたは吸引力で取り除くことが困難な毛髪や埃等のゴミと、清掃シートで取り除くことが困難なパン屑や砂等のゴミとを、お互いに補完しあって効率的な掃除を行うことが出来る。
【図面の簡単な説明】
【図１】本発明の一実施の形態を示す掃除機
（ａ）掃除機の平面図
（ｂ）側面図
【図２】同掃除機の中央断面図
【図３】図１のＡ−Ａ断面図
【図４】同清掃シート取付部材の本体ケースとの取付状態を示す要部拡大図
【図５】同他の実施の形態を示す掃除機
（ａ）平面図
（ｂ）側断面図
【図６】図１のＢ−Ｂ断面図
【図７】同他の実施の形態を示す掃除機における清掃シート取付部材を示す要部拡大図
【符号の説明】
１　本体ケース
１ａ、１ｂ　本体ケースに設けた凹凸
２　清掃シート取付部材
２ａ、２ｂ　清掃シート取付部材に設けた凹凸
３　把手
４　回転ブラシ
５　集塵ケース
６　逆止弁
７　弾性体
８　清掃シート
９　モータ
１０　電源部
１１　ベルト
１２　ファンモータ
１３　吸引ファン
１４　電源スイッチ
１５　操作釦
２１　嵌合爪
２２　通気フィルター
２３　突起
２４　吸引部
２５　小孔
【図１】
2004000658.tif 000003
【図２】
2004000658.tif 000004
【図３】
2004000658.tif 000005
【図４】
2004000658.tif 000006
【図５】
2004000658.tif 000007
【図６】
2004000658.tif 000008
【図７】
2004000658.tif 000009